(57)【要約】【課題】電極組立体の積層ずれの検査に係る電極組立体の生産効率の低下を抑制すること。【解決手段】第１セパレータ３１及び第２セパレータ３２は、各外縁２３１ａ，２３２ａが正極電極１２の４つの辺１２２ａ，１２２ｂ，１２２ｃ，１２２ｄからそれぞれはみ出した第１はみ出し部３３１及び第２はみ出し部３３２をそれぞれ有する。第１はみ出し部３３１と第２はみ出し部３３２は接合された接合部４０を有している。負極電極１３は、その外縁１３１ａが正極電極１２の４つの辺１２２ａ，１２２ｂ，１２２ｃ，１２２ｄからそれぞれはみ出す形状をなすはみ出し部１３２を有している。第１セパレータ３１、第２セパレータ３２、及び負極電極１３は、それらが積層されたときに重なる位置に第１孔１３２ａ，３３１ａ，３３２ａ及び第２孔１３２ｂ，３３１ｂ，３３２ｂを有する。【選択図】図２
2014049193.tif 000002
【特許請求の範囲】
【請求項１】
正極電極、前記正極電極を挟む第１セパレータと第２セパレータ、及び負極電極が積層されてなる電極組立体を備えた蓄電装置において、
前記第１セパレータは、前記正極電極の一方の面を覆い、且つ一部が前記正極電極の少なくとも一部の辺からはみ出した第１はみ出し部を有し、
前記第２セパレータは、前記正極電極の他方の面を覆い、且つ一部が前記第１はみ出し部と同じ方向にはみ出した第２はみ出し部を有し、
前記第１はみ出し部と前記第２はみ出し部とは接合されており、
前記負極電極は、前記正極電極の一方の面を覆い、且つ一部が前記第１はみ出し部及び前記第２はみ出し部と同じ方向にはみ出す形状であり、
前記第１セパレータ、前記第２セパレータ、及び前記負極電極は、それらが積層されたときに重なる位置に孔を少なくとも２つずつ有することを特徴とする蓄電装置。
【請求項２】
前記第１はみ出し部と前記第２はみ出し部が接合された接合部を有し、
前記第１セパレータ及び前記第２セパレータは、前記接合部に前記孔を有する請求項１に記載の蓄電装置。
【請求項３】
正極電極と、負極電極と、セパレータとを備えるとともに、前記正極電極と前記負極電極とが前記セパレータを介して積層されてなる電極組立体を備えた蓄電装置であって、
前記正極電極、前記負極電極、及び前記セパレータは、それらが積層されたときに重なる位置に孔を少なくとも２つずつ有することを特徴とする蓄電装置。
【請求項４】
前記正極電極は、活物質が塗工されている塗工部と前記活物質が塗工されていない未塗工部を有し、
前記正極電極は、前記未塗工部に前記孔を有する請求項３に記載の蓄電装置。
【請求項５】
前記孔は、前記正極電極が積層されたときに前記正極電極における対向した２辺に近接する位置にある請求項１〜４のいずれか１項に記載の蓄電装置。
【請求項６】
前記孔は、前記正極電極が積層されたときに前記正極電極の対角線上にある角部に近接する位置にある請求項５に記載の蓄電装置。
【請求項７】
正極電極と、負極電極と、セパレータとを備えるとともに、前記正極電極と前記負極電極とが前記セパレータを介して積層されてなる電極組立体を備えた蓄電装置であって、
前記負極電極及び前記セパレータは、前記正極電極の面を覆い、且つ一部が前記正極電極の少なくとも一部の辺からはみ出す形状であり、
前記負極電極及び前記セパレータは、それらが積層されたときに重なる位置に孔を有し、
前記孔は、前記正極電極が積層されたときに前記正極電極の対向し合う２対の辺に近接する位置にあることを特徴とする蓄電装置。
【請求項８】
前記正極電極は１辺の一部から突出したタブを有し、
前記孔は、前記タブを挟む２箇所にあるとともに、前記正極電極における前記タブが設けられた辺と対向する辺に近接する位置にある請求項７に記載の蓄電装置。
【請求項９】
前記蓄電装置は二次電池である請求項１〜８のいずれか１項に記載の蓄電装置。
【請求項１０】
正極電極と負極電極とがセパレータを介して積層されてなる電極組立体における前記正極電極、前記負極電極、及びセパレータの積層ずれ検査方法であって、
前記負極電極及び前記セパレータは、それらが積層されたときに重なる位置に孔を少なくとも２つずつ有し、
前記負極電極及び前記セパレータの少なくとも一方が積層されたときに前記孔が貫通状態にあることを積層ずれが生じていないとする判断の要件として、積層ずれの検査を行うことを特徴とする積層ずれ検査方法。
【請求項１１】
前記正極電極、前記負極電極、及び前記セパレータのうち所定枚数以上が積層された状態で積層ずれの検査を行う請求項１０に記載の積層ずれ検査方法。
【請求項１２】
前記孔の貫通列に光を投射するとともに、前記孔の貫通列を透過した光を受光することにより前記電極組立体の積層ずれの検査を行う請求項１０又は１１に記載の積層ずれ検査方法。
【請求項１３】
前記正極電極、前記負極電極、及び前記セパレータの積層中に前記孔の貫通列への光の投射を行うことにより、前記電極組立体の積層ずれの検査を行う請求項１２に記載の積層ずれ検査方法。
【発明の詳細な説明】
【技術分野】
【０００１】
この発明は、電極組立体を備える蓄電装置及び電極組立体を構成する正極電極、負極電極、及びセパレータの積層ずれ検査方法に関する。
【背景技術】
【０００２】
ＥＶ（Electric Vehicle）やＰＨＶ（Plug in Hybrid Vehicle）などの車両には、原動機となる電動機への供給電力を蓄える蓄電装置としてリチウムイオン電池などの二次電池が搭載されている。この種の二次電池は、例えば特許文献１に開示されている。二次電池は、例えば正極電極と、負極電極と、これらを絶縁するセパレータとを、交互に積層することにより層状とした電極組立体を有する。
【先行技術文献】
【特許文献】
【０００３】
【特許文献１】特開２０００−２８５９６３号公報
【発明の概要】
【発明が解決しようとする課題】
【０００４】
ところで、この種の電極組立体においては積層ずれが生じるおそれがあった。積層ずれの検査方法として、例えば画像処理を行って確認する方法が挙げられるが、こうした方法は、積層した２枚の層の画像確認をもって積層ずれの有無を確認するものであり、積層後の電極組立体の積層ずれの確認を行うことができない。また、他の積層ずれの検査方法として、積層した電極組立体にＸ線を透過させて確認する方法が挙げられる。こうしたＸ線による検査方法では、積層後の電極組立体の積層ずれの確認を行うことはできる。しかしながら、Ｘ線による検査方法では、電極組立体の各層の濃淡によって積層ずれの有無を確認するため、どの層が正規の位置からずれているのかを確認するためには電極組立体全体を多角的に確認する必要がある。このため、検査にある程度の時間を要し、電極組立体の生産効率が低下するおそれがある。
【０００５】
本発明は、上記課題を解決するためになされたものであって、その目的は、生産効率の低下を抑制することのできる蓄電装置、及び積層ずれの検査を効率的に行うことにより、蓄電装置の生産効率の低下を抑制することのできる積層ずれ検査方法を提供することにある。
【課題を解決するための手段】
【０００６】
以下、上記目的を達成するための手段及びその作用効果について記載する。
請求項１に記載の発明は、正極電極、前記正極電極を挟む第１セパレータと第２セパレータ、及び負極電極が積層されてなる電極組立体を備えた蓄電装置において、前記第１セパレータは、前記正極電極の一方の面を覆い、且つ一部が前記正極電極の少なくとも一部の辺からはみ出した第１はみ出し部を有し、前記第２セパレータは、前記正極電極の他方の面を覆い、且つ一部が前記第１はみ出し部と同じ方向にはみ出した第２はみ出し部を有し、前記第１はみ出し部と前記第２はみ出し部とは接合されており、前記負極電極は、前記正極電極の一方の面を覆い、且つ一部が前記第１はみ出し部及び前記第２はみ出し部と同じ方向にはみ出す形状であり、前記第１セパレータ、前記第２セパレータ、及び前記負極電極は、それらが積層されたときに重なる位置に孔を少なくとも２つずつ有することをその要旨とする。
【０００７】
上記構成によれば、第１セパレータ、第２セパレータ、及び負極電極が２つずつ有する孔に対して光の投射等を行うことにより、孔が貫通状態にあるか否かに応じて、支障のない程度に積層ずれが小さい状態で電極組立体の積層が行えているか否かを容易に判断することができる。したがって、生産効率の低下を抑制することができる。
【０００８】
また、上記構成のように、積層されたときに第１セパレータ、第２セパレータ、及び負極電極の重なる位置に少なくとも２つずつある孔によれば、積層ずれが積層された各層が幅方向や対角線方向にずれることによる直線的なずれであっても、各層が回転方向にずれることによる回転ずれであっても、積層ずれが生じているか否かの判断を好適に行うことができる。
【０００９】
請求項２に記載の発明は、請求項１に記載の蓄電装置において、前記第１はみ出し部と前記第２はみ出し部が接合された接合部を有し、前記第１セパレータ及び前記第２セパレータは、前記接合部に前記孔を有することをその要旨とする。
【００１０】
上記構成によれば、第１セパレータ及び第２セパレータは接合部に孔を有するため、第１セパレータ及び第２セパレータの孔を第１セパレータ、第２セパレータ、及び負極電極が積層されたときに重なる位置とすることを容易に行うことができる。
【００１１】
請求項３に記載の発明は、正極電極と、負極電極と、セパレータとを備えるとともに、前記正極電極と前記負極電極とが前記セパレータを介して積層されてなる電極組立体を備えた蓄電装置であって、前記正極電極、前記負極電極、及び前記セパレータは、それらが積層されたときに重なる位置に孔を少なくとも２つずつ有することをその要旨とする。
【００１２】
上記構成によれば、正極電極、負極電極、及びセパレータが２つずつ有する孔に対して光の投射等を行うことにより、孔が貫通状態にあるか否かに応じて、支障のない程度に積層ずれが小さい状態で電極組立体の積層が行えているか否かを容易に判断することができる。したがって、生産効率の低下を抑制することができる。
【００１３】
また、上記構成のように、積層されたときに正極電極、負極電極、およびセパレータの重なる位置に少なくとも２つずつある孔によれば、積層ずれが積層された各層が幅方向や対角線方向にずれることによる直線的なずれであっても、各層が回転方向にずれることによる回転ずれであっても、積層ずれが生じているか否かの判断を好適に行うことができる。
【００１４】
請求項４に記載の発明は、請求項３に記載の蓄電装置において、前記正極電極は、活物質が塗工されている塗工部と前記活物質が塗工されていない未塗工部を有し、前記正極電極は、前記未塗工部に前記孔を有することをその要旨とする。
【００１５】
上記構成によれば、正極電極は、未塗工部に孔を有するため、孔の形成に伴って正極電極における電気容量の減少を抑制することができる。また、積層された状態で貫通する孔を介して正極電極と負極電極との短絡が生じることを抑制することができる。
【００１６】
請求項５に記載の発明は、請求項１〜４のいずれか１項に記載の蓄電装置において、前記孔は、前記正極電極が積層されたときに前記正極電極における対向した２辺に近接する位置にあることをその要旨とする。
【００１７】
上記構成によれば、孔を正極電極が積層されたときに正極電極における対向した２辺に近接する位置にあるものとすることにより、孔の位置を容易に設定することができる。
請求項６に記載の発明は、請求項５に記載の蓄電装置において、前記孔は、前記正極電極が積層されたときに前記正極電極の対角線上にある角部に近接する位置にあることをその要旨とする。
【００１８】
積層されたときの各層において、孔が重なる位置にある状態から、積層された各層が回転方向にずれることによる回転ずれが生じて異なる位置にある状態となるような場合には、２つの孔の間の距離が長いほど各層の間での孔のずれ量は大きくなる。
【００１９】
上記構成によれば、孔を、正極電極が積層されたときに正極電極の対角線上にある角部に近接する位置にあるものとすることにより、２つの孔の間の距離を長くすることができるため、積層ずれの判断をより容易に行うことができる。
【００２０】
請求項７に記載の発明は、正極電極と、負極電極と、セパレータとを備えるとともに、前記正極電極と前記負極電極とが前記セパレータを介して積層されてなる電極組立体を備えた蓄電装置であって、前記負極電極及び前記セパレータは、前記正極電極の面を覆い、且つ一部が前記正極電極の少なくとも一部の辺からはみ出す形状であり、前記負極電極及び前記セパレータは、それらが積層されたときに重なる位置に孔を有し、前記孔は、前記正極電極が積層されたときに前記正極電極の対向し合う２対の辺に近接する位置にあることをその要旨とする。
【００２１】
上記構成によれば、負極電極及びセパレータが有する孔に対して光の投射等を行うことにより、孔が貫通状態にあるか否かに応じて、支障のない程度に積層ずれが小さい状態で電極組立体の積層が行えていることを容易に判断することができる。したがって、生産効率の低下を抑制することができる。
【００２２】
また、上記構成のように正極電極が積層されたときに正極電極の対向し合う２対の辺に近接する位置にある孔によれば、積層ずれが積層された各層が幅方向や対角線方向にずれることによる直線的なずれであっても、各層が回転方向にずれることによる回転ずれであっても、積層ずれが生じているか否かの判断を好適に行うことができる。
【００２３】
請求項８に記載の発明は、請求項７に記載の蓄電装置において、前記正極電極は１辺の一部から突出したタブを有し、前記孔は、前記タブを挟む２箇所にあるとともに、前記正極電極における前記タブが設けられた辺と対向する辺に近接する位置にあることをその要旨とする。
【００２４】
上記構成によれば、支障のない程度に積層ずれが小さい状態で積層が行えていることをより容易に判断することができる。
請求項９に記載の発明は、請求項１〜８のいずれか１項に記載の蓄電装置において、前記蓄電装置は二次電池であることをその要旨とする。
【００２５】
請求項１０に記載の発明は、正極電極と負極電極とがセパレータを介して積層されてなる電極組立体における前記正極電極、前記負極電極、及びセパレータの積層ずれ検査方法であって、前記負極電極及び前記セパレータは、それらが積層されたときに重なる位置に孔を少なくとも２つずつ有し、前記負極電極及び前記セパレータの少なくとも一方が積層されたときに前記孔が貫通状態にあることを積層ずれが生じていないとする判断の要件として、積層ずれの検査を行うことをその要旨とする。
【００２６】
上記構成によれば、孔が貫通状態にあることを積層ずれが生じていないとする判断の要件として、支障のない程度に積層ずれが小さい状態で正極電極、負極電極、及びセパレータの積層が行えているか否かを容易に判断することができる。したがって、積層ずれの検査を効率的に行うことにより、蓄電装置の生産効率の低下を抑制することができる。
【００２７】
尚、上記構成においては、積層された各層の孔が全て貫通状態にあることをもって積層ずれが生じていないと判断するものと、積層された各層の孔が貫通状態にあって、且つその貫通する領域が所定の大きさ以上であることをもって積層ずれが生じていないと判断するものとを含む。
【００２８】
請求項１１に記載の発明は、請求項１０に記載の積層ずれ検査方法において、前記正極電極、前記負極電極、及び前記セパレータのうち所定枚数以上が積層された状態で積層ずれの検査を行うことをその要旨とする。
【００２９】
正極電極、負極電極、及びセパレータの積層された枚数に係わらず、積層ずれは孔の貫通状態に反映される。したがって、上記構成のように、積層された枚数が所定枚数以上であれば、積層ずれの検査を行うことができる。尚、負極電極等、所定枚数として１枚の積層がなされた状態での積層ずれの検査は、次のように行うことができる。すなわち、例えば負極電極の孔と電極組立体の積層方向における同位置に孔等の目印を備えた検査板を設け、この検査板に負極電極を１枚積層したときに、負極電極の孔と検査板の目印との位置関係を確認することにより積層ずれの検査を行うことができる。
【００３０】
請求項１２に記載の発明は、請求項１０又は１１に記載の積層ずれ検査方法において、前記孔の貫通列に光を投射するとともに、前記孔の貫通列を透過した光を受光することにより前記電極組立体の積層ずれの検査を行うことをその要旨とする。
【００３１】
上記構成によれば、積層ずれの検査を光の投射といった容易な方法で行うことができる。尚、正極電極、負極電極、及びセパレータといった各層の積層ずれが小さい状態で積層されたときに、その積層体の積層方向では孔が重なることにより、これら孔が貫通した列状をなす。上記構成では、こうして積層体の各層において列状に貫通した状態の孔を貫通列と称する。
【００３２】
請求項１３に記載の発明は、請求項１２に記載の積層ずれ検査方法において、前記正極電極、前記負極電極、及び前記セパレータの積層中に前記孔の貫通列への光の投射を行うことにより、前記電極組立体の積層ずれの検査を行うことをその要旨とする。
【００３３】
上記構成によれば、積層に係る時間内で併せて積層ずれの検査を行うことができるため、積層ずれの検査をより効率的に行うことができ、蓄電装置の生産効率の低下をより抑制することができる。
【発明の効果】
【００３４】
本発明によれば、生産効率の低下を抑制することができる。
【図面の簡単な説明】
【００３５】
【図１】実施形態における二次電池の分解斜視図。
【図２】電極組立体の構成を示す分解斜視図。
【図３】負極電極の平面図。
【図４】電極収納セパレータの平面図。
【図５】（ａ）は新たに積層されるときの状態を示す斜視図、（ｂ）は新たに積層されたときに積層ずれが生じていない状態を示す斜視図。
【図６】（ａ）は新たに積層されるときの状態を示す斜視図、（ｂ）は新たに積層されたときに積層ずれが生じている状態を示す斜視図。
【図７】（ａ）、（ｂ）は積層ずれが生じていないと判断される状態を示す説明図。
【図８】積層ずれが生じていると判断される状態を示す説明図。
【図９】孔の説明図。
【図１０】第２の実施形態における電極組立体の構成を示す分解斜視図。
【図１１】第３の実施形態における電極組立体の平面図。
【発明を実施するための形態】
【００３６】
（第１の実施形態）
以下、本発明を産業車両や乗用車両等の車両に搭載される二次電池に具体化した第１の実施形態について図１〜図９にしたがって説明する。
【００３７】
図１に示すように、二次電池１０は、電極組立体１１と、電極組立体１１を収容するアルミニウム製のケース２０とから構成されている。ケース２０は、電極組立体１１を挿入可能な開口部２１ａが形成された有底矩形箱状をなすケース本体２１と、ケース本体２１の開口部２１ａを閉鎖する矩形板状の蓋２２とから構成されている。ケース２０の内部には電解液が注入されている。蓋２２は、２つの貫通孔２２ａを有し、この貫通孔２２ａを貫通するように正極端子２３ａ及び負極端子２３ｂがそれぞれ設けられている。
【００３８】
図２に示すように、電極組立体１１は、袋状をなすとともにその内部にシート状の正極電極１２を収納した電極収納セパレータ３０と、シート状の負極電極１３とを複数枚積層して構成されている。すなわち、本実施形態の電極組立体１１は、正極電極１２を収納した電極収納セパレータ３０と負極電極１３とが積み重ねられてなる積層型の電極組立体である。
【００３９】
正極電極１２は、正極金属箔１２１と、正極金属箔１２１の表裏両面に活物質が塗工されている正極塗工部１２ａとを有している。また、正極金属箔１２１における活物質が塗工されていない部位によって正極未塗工部１２ｂが構成されている。正極電極１２の１辺である辺１２２ａの一部からは、正極未塗工部１２ｂからなる正極タブ１２ｃが突出している。負極電極１３は、負極金属箔１３１と、負極金属箔１３１の表裏両面に活物質が塗工されている負極塗工部１３ａとを有している。また、負極金属箔１３１における活物質が塗工されていない部位によって負極未塗工部１３ｂが構成されている。負極電極１３の外縁１３１ａを構成する１つの辺１３１ｂの一部からは、負極未塗工部１３ｂからなる負極タブ１３ｃが突出している。正極タブ１２ｃ及び負極タブ１３ｃの配設位置は、正極電極１２と負極電極１３とが積層されたときに、積層方向に互いに重ならない位置とされている。そして、各正極電極１２は、各正極タブ１２ｃが重なるようにして一定方向に積層されるとともに、各負極電極１３は、各負極タブ１３ｃが重なるようにして一定方向に積層される。尚、正極金属箔１２１はアルミニウム箔であるとともに、負極金属箔１３１は銅箔である。
【００４０】
図３に示すように、負極電極１３は、正極電極１２の表面１２ｅ及び裏面１２ｆのいずれか一方の面を覆うように大きい。そして、負極電極１３は、正極電極１２と積層されたときに、その外縁１３１ａが正極電極１２の４つの辺１２２ａ，１２２ｂ，１２２ｃ，１２２ｄからそれぞれはみ出す形状をなすはみ出し部１３２を有している。
【００４１】
図１に示すように、電極組立体１１には、各正極タブ１２ｃを集めてなる正極タブ群１２ｄが形成されている。正極タブ群１２ｄには矩形板状をなす正極導電部材１９ａが接合されている。また、電極組立体１１には、各負極タブ１３ｃを集めてなる負極タブ群１３ｄが形成されている。負極タブ群１３ｄには矩形板状をなす負極導電部材１９ｂが接合されている。正極タブ群１２ｄ及び負極タブ群１３ｄは、電極組立体１１の一方側から延びている。
【００４２】
正極導電部材１９ａは正極端子２３ａと連結されるとともに、負極導電部材１９ｂは負極端子２３ｂと連結される。これにより、正極タブ群１２ｄと正極端子２３ａとが正極導電部材１９ａを介して電気的に接続されるとともに、負極タブ群１３ｄと負極端子２３ｂとが負極導電部材１９ｂを介して電気的に接続される。さらに、電極組立体１１がケース本体２１内に収容された状態において、蓋２２とケース本体２１とが接合されて、ケース本体２１の開口部２１ａが蓋２２により塞がれて密閉されることで二次電池１０が構成される。尚、電極組立体１１とケース２０の内面との間は、図示しない絶縁シートにより絶縁が確保されている。
【００４３】
次に、電極収納セパレータ３０について説明する。
図２に示すように、電極収納セパレータ３０は、シート状の第１セパレータ３１とシート状の第２セパレータ３２とから構成されている。第１セパレータ３１及び第２セパレータ３２は、多孔質の層からなり、同程度の大きさをなしている。また、第１セパレータ３１は正極電極１２の表面１２ｅと対向するように配置されている一方、第２セパレータ３２は正極電極１２の裏面１２ｆと対向するように配置されている。そして、第１セパレータ３１と第２セパレータ３２との間には正極電極１２が挟み込まれるようにして配置されている。
【００４４】
図４に示すように、第１セパレータ３１は、正極電極１２の表面１２ｅを覆うように大きい。そして、第１セパレータ３１は、第２セパレータ３２とで正極電極１２を挟んだ状態で、その外縁２３１ａが正極電極１２の４つの辺１２２ａ，１２２ｂ，１２２ｃ，１２２ｄからそれぞれはみ出した第１はみ出し部３３１を有している。また、第２セパレータ３２は、正極電極１２の裏面１２ｆを覆うように大きい。そして、第２セパレータ３２は、第１セパレータ３１とで正極電極１２を挟んだ状態で、その外縁２３２ａが正極電極１２の４つの辺１２２ａ，１２２ｂ，１２２ｃ，１２２ｄからそれぞれはみ出した第２はみ出し部３３２を有している。また、これら第１セパレータ３１及び第２セパレータ３２は負極電極１３と同程度の大きさをなしている。第１セパレータ３１及び第２セパレータ３２は、外縁２３１ａ，２３２ａのうちで正極タブ１２ｃと対向する部分を除いた部分において、第１セパレータ３１と第２セパレータ３２とが接合される接合部４０を有している。接合部４０は第１はみ出し部３３１及び第２はみ出し部３３２の外縁（外縁２３１ａ，２３２ａ）に設けられるものである。そして、この接合部４０によって、第１はみ出し部３３１及び第２はみ出し部３３２の外縁が接合されている。また、接合部４０は、正極電極１２の４つの辺１２２ａ，１２２ｂ，１２２ｃ，１２２ｄにそれぞれ沿うように、所定の間隔をおいて複数箇所で溶着されることによりなるものである。そして、この接合部４０によって第１はみ出し部３３１及び第２はみ出し部３３２の外縁が接合されることにより、第１セパレータ３１と第２セパレータ３２が接合される。
【００４５】
第１セパレータ３１は、接合部４０に第１孔３３１ａ及び第２孔３３１ｂを有している。第１セパレータ３１が第２セパレータ３２とで正極電極１２を挟んだ状態において、第１孔３３１ａは正極電極１２の辺１２２ａに近接する位置にあるとともに、第２孔３３１ｂは正極電極１２の辺１２２ｃに近接する位置にある。これら辺１２２ａと辺１２２ｃは、正極電極１２において互いに対向する辺である。さらに、第１孔３３１ａは正極電極１２の角部１２２ｅに近接する位置にあるとともに、第２孔３３１ｂは正極電極１２の角部１２２ｆに近接する位置にある。これら角部１２２ｅ，１２２ｆは、正極電極１２の対角線上にある角部である。
【００４６】
第２セパレータ３２は、接合部４０に第１孔３３２ａ及び第２孔３３２ｂを有している。第２セパレータ３２が第１セパレータ３１とで正極電極１２を挟んだ状態において、第１孔３３２ａは正極電極１２の辺１２２ａに近接する位置にあるとともに、第２孔３３２ｂは正極電極１２の辺１２２ｃに近接する位置にある。これら辺１２２ａと辺１２２ｃは、正極電極１２において互いに対向する辺である。さらに、第１孔３３２ａは正極電極１２の角部１２２ｅに近接する位置にあるとともに、第２孔３３２ｂは正極電極１２の角部１２２ｆに近接する位置にある。
【００４７】
第１セパレータ３１の第１孔３３１ａと第２セパレータ３２の第１孔３３２ａは、第１セパレータ３１と第２セパレータ３２とで正極電極１２を挟んだ状態において、第１セパレータ３１と第２セパレータ３２との間で重なる位置にそれぞれ形成されている。そして、第１孔３３１ａと第１孔３３２ａは、電極収納セパレータ３０が積層されたときに、電極収納セパレータ３０間で重なる位置にそれぞれ形成されている。また、同じく第１セパレータ３１の第２孔３３１ｂと第２セパレータ３２の第２孔３３２ｂは、第１セパレータ３１と第２セパレータ３２とで正極電極１２を挟んだ状態において、第１セパレータ３１と第２セパレータ３２との間で重なる位置にそれぞれ形成されている。そして、第２孔３３１ｂと第２孔３３２ｂは、電極収納セパレータ３０が積層されたときに、電極収納セパレータ３０間で重なる位置にそれぞれ形成されている。尚、正極電極１２は、第１セパレータ３１及び第２セパレータ３２によって挟まれた状態において、第１はみ出し部３３１及び第２はみ出し部３３２と重ならない位置に設けられる。そして、この第１はみ出し部３３１及び第２はみ出し部３３２の外縁に接合部４０が設けられている。このため、接合部４０に位置する第１孔３３１ａ，３３２ａや第２孔３３１ｂ，３３２ｂは、正極電極１２が第１セパレータ３１及び第２セパレータ３２によって挟まれた状態において、正極電極１２と重ならないようになっている。
【００４８】
図３に示すように、負極電極１３は、その外縁１３１ａに近接した位置に第１孔１３２ａ及び第２孔１３２ｂを有している。負極電極１３が正極電極１２と積層されたときに、第１孔１３２ａは正極電極１２の辺１２２ａに近接する位置にあるとともに、第２孔１３２ｂは正極電極１２の辺１２２ｃに近接する位置にある。さらに、第１孔１３２ａは正極電極１２の角部１２２ｅに近接する位置にあるとともに、第２孔１３２ｂは正極電極１２の角部１２２ｆに近接する位置にある。尚、正極電極１２は、負極電極１３と積層されたときに、負極電極１３のはみ出し部１３２と重ならない位置に設けられる。そして、このはみ出し部１３２の外縁（外縁１３１ａ）に第１孔１３２ａ及び第２孔１３２ｂが設けられている。このため、第１孔１３２ａや第２孔１３２ｂは、正極電極１２と負極電極１３とが積層されたときに、正極電極１２と重ならないようになっている。
【００４９】
負極電極１３、第１セパレータ３１、及び第２セパレータ３２は、それらが積層されたときに重なる位置に第１孔１３２ａ，３３１ａ，３３２ａを有する。また、負極電極１３、第１セパレータ３１、及び第２セパレータ３２は、それらが積層されたときに重なる位置に第２孔１３２ｂ，３３１ｂ，３３２ｂを有する。第１孔１３２ａ，３３１ａ，３３２ａ及び第２孔１３２ｂ，３３１ｂ，３３２ｂは、全て同径の孔をなす。尚、第１孔１３２ａ，３３１ａ，３３２ａ及び第２孔１３２ｂ，３３１ｂ，３３２ｂは、多孔質の第１セパレータ３１及び第２セパレータ３２が有する孔よりも大きい直径をなしている。また、第１孔１３２ａ，３３１ａ，３３２ａ及び第２孔１３２ｂ，３３１ｂ，３３２ｂの全てが円形をなしている。
【００５０】
次に、本実施形態の積層ずれ検査方法について、図５〜図９にしたがって説明する。本実施形態では、負極電極１３や電極収納セパレータ３０が積層されてなる積層体の積層中に、各層における第１孔１３２ａ，３３１ａ，３３２ａ及び第２孔１３２ｂ，３３１ｂ，３３２ｂへの投射が行われることにより、積層ずれの検査が行われている。積層ずれの検査は、負極電極１３及び電極収納セパレータ３０の少なくとも一方が積層されたときに第１孔１３２ａ，３３１ａ，３３２ａ及び第２孔１３２ｂ，３３１ｂ，３３２ｂが貫通状態にあることを積層ずれが生じていないとする判断の要件としている。尚、積層体の積層作業は、負極電極１３や電極収納セパレータ３０が順次積層体の最上層をなすように積層されることにより行われる。また、負極電極１３及び電極収納セパレータ３０といった各層の積層ずれが小さい状態で積層されたときに、その積層体の積層方向では第１孔１３２ａ，３３１ａ，３３２ａ及び第２孔１３２ｂ，３３１ｂ，３３２ｂが重なることとなる。これにより、これら第１孔１３２ａ，３３１ａ，３３２ａ及び第２孔１３２ｂ，３３１ｂ，３３２ｂは、貫通した列状をなす。以下では、こうして積層体の各層において列状に貫通した状態の第１孔１３２ａ，３３１ａ，３３２ａや第２孔１３２ｂ，３３１ｂ，３３２ｂを貫通列と称する。
【００５１】
図５（ａ）に示すように、電極収納セパレータ３０が積層されると、この電極収納セパレータ３０が積層体における最上層となるとともに、電極収納セパレータ３０の１つ下の層が負極電極１３となる。尚、以下の図５〜図８の説明においては、積層体の最上層となる電極収納セパレータ３０と、この電極収納セパレータ３０の１つ下の層である負極電極１３とを、それぞれ単に電極収納セパレータ３０と負極電極１３と称する。
【００５２】
ここで、負極電極１３以下に積層される各層は、すべて支障のない程度に積層ずれが小さい状態となっている。これは、負極電極１３以下に積層される各層においても、１つの層が積層される度に、その積層された層とそれ以下に積層された積層体との間での積層ずれが検査されていることによる。そして、積層ずれが大きい場合には、最上層の層の積層位置が修正されることにより、積層ずれを支障のない程度に小さい状態とした上で、積層作業が進められる。
【００５３】
図５（ｂ）に示すように、電極収納セパレータ３０が積層された状態で、生じている積層ずれが支障のない程度に小さい状態となっているか否かが検査される。この検査は、電極収納セパレータ３０の第１孔３３１ａ，３３２ａと負極電極１３以下の層における第１孔１３２ａ，３３１ａ，３３２ａとの貫通状態と、電極収納セパレータ３０の第２孔３３１ｂ，３３２ｂと負極電極１３以下の層における第２孔１３２ｂ，３３１ｂ，３３２ｂとの貫通状態をそれぞれ検査することにより行われる。第１孔１３２ａ，３３１ａ，３３２ａの貫通状態と、第２孔１３２ｂ，３３１ｂ，３３２ｂの貫通状態は、これら第１孔１３２ａ，３３１ａ，３３２ａ及び第２孔１３２ｂ，３３１ｂ，３３２ｂに光をそれぞれ投射することにより検査が行われる。具体的には、負極電極１３の第１孔１３２ａと第２孔１３２ｂ等、最下層に積層されている層の２つの孔を介して、積層体を貫通してなる第１孔１３２ａ，３３１ａ，３３２ａの貫通列及び第２孔１３２ｂ，３３１ｂ，３３２ｂの貫通列に対して、積層体の積層方向へと光が投射される。そして、第１孔１３２ａ，３３１ａ，３３２ａの貫通列及び第２孔１３２ｂ，３３１ｂ，３３２ｂの貫通列を透過した光が最上層側において２箇所で受光されることにより、電極組立体１１における第１孔１３２ａ，３３１ａ，３３２ａ及び第２孔１３２ｂ，３３１ｂ，３３２ｂのいずれも貫通状態にあるとして判断される。ここで、第１孔１３２ａ，３３１ａ，３３２ａが貫通状態にある場合は、第１孔１３２ａ，３３１ａ，３３２ａが位置する負極電極１３及び電極収納セパレータ３０の角部を挟む２辺が、積層体の各層全てでほぼ揃った状態にある。また、第２孔１３２ｂ，３３１ｂ，３３２ｂが貫通状態にある場合は、第２孔１３２ｂ，３３１ｂ，３３２ｂが位置する負極電極１３及び電極収納セパレータ３０の角部を挟む２辺が、積層体の各層全てでほぼ揃った状態にある。そして、これら第１孔１３２ａ，３３１ａ，３３２ａが全て貫通状態にあり、且つ第２孔１３２ｂ，３３１ｂ，３３２ｂが全て貫通状態にあることをもって、電極収納セパレータ３０の積層によって生じた積層ずれが支障のない程度に小さいものであると判断される。
【００５４】
図７（ａ）に示すように、本実施形態においては、第１孔１３２ａ，３３１ａ，３３２ａの全てがずれなく貫通状態にある等、積層体に積層された負極電極１３及び電極収納セパレータ３０の全てに積層ずれが生じていないときに、積層ずれが支障のない程度に小さいものであると判断される。また、図７（ｂ）に示すように、本実施形態においては、第１孔１３２ａ，３３１ａ，３３２ａにずれが生じているものの、光を透過させる程度の貫通状態にある等、積層体に積層された負極電極１３及び電極収納セパレータ３０に小さい積層ずれが生じているときにも、積層ずれが支障のない程度に小さいものであると判断される。
【００５５】
一方、図６（ａ）に示すように、図５（ａ）に例示した場合と同じく電極収納セパレータ３０が積層されて、生じている積層ずれが大きいと判断される場合について、図６（ｂ）にしたがって以下に説明する。尚、図６（ｂ）に示した例では、積層された電極収納セパレータ３０に対角線方向にずれることによる直線的なずれが生じている。
【００５６】
図６（ｂ）に示すように、負極電極１３の第１孔１３２ａまでは、その負極電極１３以下の層における第１孔１３２ａ，３３１ａ，３３２ａの貫通列を介して光が投射されている。しかしながら、電極収納セパレータ３０の面によって、負極電極１３の第１孔１３２ａは塞がれている。このため、積層体の最上層側においては、各層の第１孔１３２ａ，３３１ａ，３３２ａの貫通列を透過した光は受光されない。一方、負極電極１３の第２孔１３２ｂは、電極収納セパレータ３０の面によって塞がれていない。このため、電極収納セパレータ３０の第２孔３３１ｂ，３３２ｂには光が透過しないものの、各層の第２孔１３２ｂ，３３１ｂ，３３２ｂの貫通列を介して透過した光は受光される。そして、積層体の最上層側においては、１箇所でのみ光が受光されることとなるため、積層体における第１孔１３２ａ，３３１ａ，３３２ａ及び第２孔１３２ｂ，３３１ｂ，３３２ｂのいずれか一方が貫通状態にないとして判断される。そして、電極収納セパレータ３０の積層によって生じた積層ずれが大きいと判断される。こうした判断を受けて、電極収納セパレータ３０の積層位置が修正される。そして、積層ずれを支障のない程度に小さい状態とした上で、積層作業が進められる。
【００５７】
図８に示すように、本実施形態においては、第１孔１３２ａ，３３１ａ，３３２ａの全てがその孔の直径以上にずれて貫通状態にない等、積層体に積層された負極電極１３及び電極収納セパレータ３０の少なくとも一方に大きい積層ずれが生じているときに、積層ずれが大きいものであると判断される。
【００５８】
図９に示すように、第１孔１３２ａ，３３１ａ，３３２ａ及び第２孔１３２ｂ，３３１ｂ，３３２ｂの直径は、値（Ｘ＋α）に設定されている。この値Ｘは、積層ずれの許容値の２倍の値となっている。すなわち、積層ずれの許容値は、値（Ｘ／２）と表すことができる。例えば、この積層ずれの許容値（Ｘ／２）を０．５ｍｍとすると、値Ｘとして１ｍｍが設定される。また、値αは次のように設定された値である。すなわち、第１孔１３２ａ，３３１ａ，３３２ａ及び第２孔１３２ｂ，３３１ｂ，３３２ｂの直径を値Ｘに設定すると、積層ずれが許容値（Ｘ／２）未満であったときには、積層体全体の孔１３２ａ，１３２ｂ，３３１ａ，３３１ｂ，３３２ａ，３３２ｂが貫通状態にはなる。しかしながら、その貫通する領域が小さいと、積層体全体の孔１３２ａ，１３２ｂ，３３１ａ，３３１ｂ，３３２ａ，３３２ｂの貫通列に光を透過させることができないことがある。そして、こうして積層体全体の孔１３２ａ，１３２ｂ，３３１ａ，３３１ｂ，３３２ａ，３３２ｂの貫通列に光が透過されないことにより、電極組立体１１に生じている積層ずれが許容できない程度のものであるとして誤って判断されるおそれがある。本実施形態では、上記のように第１孔１３２ａ，３３１ａ，３３２ａ及び第２孔１３２ｂ，３３１ｂ，３３２ｂの直径を値（Ｘ＋α）とすることで、許容値（Ｘ／２）に近い積層ずれが生じたとしても、積層体全体の孔１３２ａ，１３２ｂ，３３１ａ，３３１ｂ，３３２ａ，３３２ｂの貫通列に光を透過させることができる。上記の値αは、第１孔１３２ａ，３３１ａ，３３２ａ及び第２孔１３２ｂ，３３１ｂ，３３２ｂの直径を値（Ｘ＋α）に設定したときに、許容値（Ｘ／２）に近い積層ずれが生じたとしても、積層体全体の孔１３２ａ，１３２ｂ，３３１ａ，３３１ｂ，３３２ａ，３３２ｂを貫通する領域がこれらの層を光が透過可能な程度の大きさとなる値である。
【００５９】
また、はみ出し部１３２は、第１孔１３２ａ及び第２孔１３２ｂが形成可能な程度の大きさをなしている。すなわち、例えば、負極電極１３の外縁１３１ａが正極電極１２の４つの辺１２２ａ，１２２ｂ，１２２ｃ，１２２ｄからそれぞれ３ｍｍ程度はみ出す形状をなす。また、第１はみ出し部３３１及び第２はみ出し部３３２は、第１孔３３１ａ，３３２ａ及び第２孔３３１ｂ，３３２ｂが形成可能な程度の大きさをなしている。すなわち、例えば、第１セパレータ３１は、第２セパレータ３２とで正極電極１２を挟んだ状態で、その外縁２３１ａが正極電極１２の４つの辺１２２ａ，１２２ｂ，１２２ｃ，１２２ｄからそれぞれ３ｍｍ程度はみ出した形状をなす。また、第２セパレータ３２は、第１セパレータ３１とで正極電極１２を挟んだ状態で、その外縁２３２ａが正極電極１２の４つの辺１２２ａ，１２２ｂ，１２２ｃ，１２２ｄからそれぞれ３ｍｍ程度はみ出した形状をなす。
【００６０】
また、図６（ｂ）には、電極収納セパレータ３０に積層ずれが生じる場合を例示していたが、既に積層されている負極電極１３や電極収納セパレータ３０に積層ずれが生じることもあり得る。積層体の積層方向の途中で大きく積層ずれが生じている場合にも、最上層で光を受光できないこととなるため、同様に積層ずれの検査を行うことが可能である。
【００６１】
そして、電極収納セパレータ３０は、接合部４０によって第１セパレータ３１と第２セパレータ３２が接合されてなり、その内部に正極電極１２が収納されている。すなわち、正極電極１２は、電極収納セパレータ３０における第１孔３３１ａ，３３２ａや第２孔３３１ｂ，３３２ｂの形成箇所には至らない状態で配設されている。したがって、電極収納セパレータ３０の積層ずれが検査されることによって、自ずと正極電極１２の積層ずれが検査されることとなる。
【００６２】
次に、本実施形態の作用について説明する。
第１セパレータ３１、第２セパレータ３２、及び負極電極１３が有する第１孔１３２ａ，３３１ａ，３３２ａ及び第２孔１３２ｂ，３３１ｂ，３３２ｂといった２つの孔の貫通列に対して光の投射を行うことにより、第１孔１３２ａ，３３１ａ，３３２ａ及び第２孔１３２ｂ，３３１ｂ，３３２ｂがその貫通列に光が透過する程度に貫通した状態にあるか否かに応じて、支障のない程度に積層ずれが小さい状態で積層が行えているか否かを容易に判断することができる。
【００６３】
また、積層されたときに第１セパレータ３１、第２セパレータ３２、及び負極電極１３の重なる位置に第１孔１３２ａ，３３１ａ，３３２ａ及び第２孔１３２ｂ，３３１ｂ，３３２ｂといった２つずつの孔が位置することにより、積層ずれが積層された各層が幅方向にずれることによる直線的なずれであっても、各層が回転方向にずれることによる回転ずれであっても、積層ずれが生じているか否かの判断を好適に行うことができる。
【００６４】
以上説明したように、本実施形態によれば以下の効果が得られるようになる。
（１）第１セパレータ３１、第２セパレータ３２、及び負極電極１３が有する第１孔１３２ａ，３３１ａ，３３２ａ及び第２孔１３２ｂ，３３１ｂ，３３２ｂといった２つの孔の貫通列に対して光の投射を行うことにより、第１孔１３２ａ，３３１ａ，３３２ａ及び第２孔１３２ｂ，３３１ｂ，３３２ｂがその貫通列に光が透過する程度に貫通した状態にあるか否かに応じて、支障のない程度に積層ずれが小さい状態で積層が行えているか否かを容易に判断することができる。したがって、生産効率の低下を抑制することができる。
【００６５】
また、積層されたときに第１セパレータ３１、第２セパレータ３２、及び負極電極１３の重なる位置に第１孔１３２ａ，３３１ａ，３３２ａ及び第２孔１３２ｂ，３３１ｂ，３３２ｂといった２つずつの孔が位置することにより、積層ずれが積層された各層が幅方向にずれることによる直線的なずれであっても、各層が回転方向にずれることによる回転ずれであっても、積層ずれが生じているか否かの判断を好適に行うことができる。
【００６６】
（２）本実施形態によれば、第１セパレータ３１及び第２セパレータ３２は接合部４０に第１孔３３１ａ，３３２ａ及び第２孔３３１ｂ，３３２ｂを有するため、第１セパレータ３１及び第２セパレータ３２の第１孔１３２ａ，３３１ａ，３３２ａ及び第２孔１３２ｂ，３３１ｂ，３３２ｂを第１セパレータ３１、第２セパレータ３２、及び負極電極１３が積層されたときに重なる位置とすることを容易に行うことができる。
【００６７】
（３）本実施形態によれば、第１孔１３２ａ，３３１ａ，３３２ａ及び第２孔１３２ｂ，３３１ｂ，３３２ｂを、正極電極１２が積層されたときに正極電極１２における対向した辺１２２ａ，１２２ｃに近接する位置にあるものとすることにより、第１孔１３２ａ，３３１ａ，３３２ａ及び第２孔１３２ｂ，３３１ｂ，３３２ｂの位置を容易に設定することができる。
【００６８】
（４）本実施形態によれば、第１孔１３２ａ，３３１ａ，３３２ａ及び第２孔１３２ｂ，３３１ｂ，３３２ｂを、正極電極１２が積層されたときに正極電極１２の対角線上にある角部１２２ｅ，１２２ｆに近接する位置にあるものとすることにより、第１孔１３２ａ，３３１ａ，３３２ａと第２孔１３２ｂ，３３１ｂ，３３２ｂの間の距離を長くすることができるため、積層ずれの判断をより容易に行うことができる。
【００６９】
（５）正極電極１２、負極電極１３、及びセパレータ３１．３２の積層された枚数に係わらず、積層ずれは第１孔１３２ａ，３３１ａ，３３２ａ及び第２孔１３２ｂ，３３１ｂ，３３２ｂの貫通状態に反映される。したがって、本実施形態のように、積層された枚数が複数枚以上であれば、積層ずれの検査を行うことができる。
【００７０】
（６）本実施形態によれば、積層中に第１孔１３２ａ，３３１ａ，３３２ａ及び第２孔１３２ｂ，３３１ｂ，３３２ｂの貫通列への光の投射を行うことにより、積層に係る時間内で併せて積層ずれの検査を行うことができる。したがって、積層ずれの検査をより効率的に行うことができ、二次電池１０の生産効率の低下をより抑制することができる。
【００７１】
（第２の実施形態）
以下、本発明を車両（例えば産業車両や乗用車両）に搭載される二次電池に具体化した第２の実施形態を図１０にしたがって説明する。尚、以下に説明する実施形態では、既に説明した実施形態と同一構成について同一符号を付すなどして、その重複する説明を省略又は簡略する。
【００７２】
図１０に示すように、本実施形態における電極組立体１１は、正極電極１２と負極電極１３とがシート状のセパレータ３３を介して積層されてなる。正極電極１２は、辺１２２ａに沿って設けられる正極未塗工部１２ｂに第１孔１２３ｃ及び第２孔１２３ｄを有している。第１孔１２３ｃは、正極電極１２の辺１２２ｂに近接する位置、より詳細には正極電極１２の角部１２２ｅに近接する位置にある。第２孔１２３ｄは、正極電極１２の辺１２２ｄに近接する位置、より詳細には角部１２２ｇに近接する位置にある。
【００７３】
負極電極１３は、その外縁１３１ａに近接した位置に第１孔１３２ｃ及び第２孔１３２ｄを有している。また、セパレータ３３は、その外縁２３３ａに近接した位置に第１孔３３３ｃ及び第２孔３３３ｄを有している。これら負極電極１３の第１孔１３２ｃ及びセパレータ３３の第１孔３３３ｃは、負極電極１３やセパレータ３３が正極電極１２と積層されたときに、正極電極１２の辺１２２ｂに近接する位置、より詳細には正極電極１２の角部１２２ｅに近接する位置にある。負極電極１３の第２孔１３２ｄ及びセパレータ３３の第２孔３３３ｄは、正極電極１２の辺１２２ｄに近接する位置、より詳細には角部１２２ｇに近接する位置にある。そして、正極電極１２、負極電極１３、セパレータ３３は、それらが積層されたときに、第１孔１２３ｃ，１３２ｃ，３３３ｃ及び第２孔１２３ｄ，１３２ｄ，３３３ｄがそれぞれ重なる位置に第１孔１２３ｃ，１３２ｃ，３３３ｃ及び第２孔１２３ｄ，１３２ｄ，３３３ｄをそれぞれ有する。
【００７４】
尚、本実施形態においても、負極電極１３及びセパレータ３３は、正極電極１２の表面１２ｅ及び裏面１２ｆのいずれか一方の面を覆うように大きい。このため、負極電極１３の第１孔１３２ｃ及び第２孔１３２ｄは、負極塗工部１３ａと負極未塗工部１３ｂとの境界部分よりも内側に位置している。そして、セパレータ３３の第１孔３３３ｃ及び第２孔３３３ｄも、負極電極１３の第１孔１３２ｃ及び第２孔１３２ｄと重なるようにセパレータ３３の外縁２３３ａの内側に位置している。これにより、第１孔１２３ｃ，１３２ｃ，３３３ｃ及び第２孔１２３ｄ，１３２ｄ，３３３ｄがそれぞれ重なる位置とされている。
【００７５】
そして、積層体の第１孔１２３ｃ，１３２ｃ，３３３ｃの貫通列及び第２孔１２３ｄ，１３２ｄ，３３３ｄの貫通列に対して、第１の実施形態と同様に光の投射が行われることにより、積層ずれの検査を行うことができる。
【００７６】
また、本実施形態の正極電極１２は、第１の実施形態のように袋状の電極収納セパレータの内部に収納されるものではない。このため、正極電極１２に生じた積層ずれが大きいときには、セパレータ３３により正極電極１２の第１孔１２３ｃ及び第２孔１２３ｄの少なくとも一方が塞がれることとなる。したがって、第１孔１２３ｃ，１３２ｃ，３３３ｃの貫通列及び第２孔１２３ｄ，１３２ｄ，３３３ｄの貫通列に対して、光の投射が行われることにより、負極電極１３及びセパレータ３３の積層ずれと併せて、正極電極１２の積層ずれも検査されることとなる。
【００７７】
次に、本実施形態の作用について説明する。
正極電極１２、負極電極１３、及びセパレータ３３が有する第１孔１２３ｃ，１３２ｃ，３３３ｃ及び第２孔１２３ｄ，１３２ｄ，３３３ｄといった２つの孔の貫通列に対して光の投射を行うことにより、第１孔１２３ｃ，１３２ｃ，３３３ｃ及び第２孔１２３ｄ，１３２ｄ，３３３ｄがその貫通列に光が透過する程度に貫通した状態にあるか否かに応じて、支障のない程度に積層ずれが小さい状態で積層が行えているか否かを容易に判断することができる。
【００７８】
また、積層されたときに正極電極１２、負極電極１３、及びセパレータ３３の重なる位置に第１孔１２３ｃ，１３２ｃ，３３３ｃ及び第２孔１２３ｄ，１３２ｄ，３３３ｄといった２つずつの孔が位置することにより、積層ずれが積層された各層が幅方向にずれることによる直線的なずれであっても、各層が回転方向にずれることによる回転ずれであっても、積層ずれが生じているか否かの判断を好適に行うことができる。
【００７９】
以上説明したように、本実施形態によれば、第１の実施形態の効果（１）、（３）、（５）、（６）と同様の効果に加えて、以下の効果が得られるようになる。
（７）正極電極１２は、正極未塗工部１２ｂに第１孔１２３ｃ及び第２孔１２３ｄを有するため、第１孔１２３ｃ及び第２孔１２３ｄの形成に伴って正極電極１２における電気容量の減少を抑制することができる。また、積層された状態で貫通する第１孔１２３ｃ，１３２ｃ，３３３ｃ及び第２孔１２３ｄ，１３２ｄ，３３３ｄを介して正極電極１２と負極電極１３との短絡が生じることを抑制することができる。
【００８０】
（第３の実施形態）
以下、本発明を車両（例えば産業車両や乗用車両）に搭載される二次電池に具体化した第３の実施形態を図１１にしたがって説明する。
【００８１】
図１１に示すように、本実施形態における電極組立体１１は、正極電極１２と負極電極１３とがシート状のセパレータ３３を介して積層されてなる。また、本実施形態においても、負極電極１３及びセパレータ３３は、正極電極１２の表面１２ｅ及び裏面１２ｆのいずれか一方の面を覆うように大きい。そして、本実施形態では、セパレータ３３と負極電極１３の大きさは異なり、セパレータ３３は負極電極１３よりも大きい。
【００８２】
負極電極１３は、その外縁１３１ａに近接した位置に第１孔１３２ｅ、第２孔１３２ｆ、及び第３孔１３２ｇを有している。また、セパレータ３３は、その外縁２３３ａに近接した位置に第１孔３３３ｅ、第２孔３３３ｆ、及び第３孔３３３ｇを有している。
【００８３】
負極電極１３の第１孔１３２ｅ及び第２孔１３２ｆと、セパレータ３３の第１孔３３３ｅ及び第２孔３３３ｆは、負極電極１３やセパレータ３３が正極電極１２と積層されたときに、正極電極１２の辺１２２ａにそれぞれ近接する位置にある。さらに、負極電極１３の第１孔１３２ｅ及び第２孔１３２ｆと、セパレータ３３の第１孔３３３ｅ及び第２孔３３３ｆは、負極電極１３やセパレータ３３が正極電極１２と積層されたときに、正極電極１２の正極タブ１２ｃを挟む２箇所にある。また、負極電極１３の第３孔１３２ｇ及びセパレータ３３の第３孔３３３ｇは、負極電極１３やセパレータ３３が正極電極１２と積層されたときに、正極電極１２の辺１２２ｃにそれぞれ近接する位置にある。
【００８４】
このように位置することにより、負極電極１３の第１孔１３２ｅ及び第３孔１３２ｇと、セパレータ３３の第１孔３３３ｅ及び第３孔３３３ｇは、正極電極１２における対向し合う１対の辺１２２ａ，１２２ｃにそれぞれ近接する位置となっている。また、負極電極１３の第１孔１３２ｅ及び第２孔１３２ｆと、セパレータ３３の第１孔３３３ｅ及び第２孔３３３ｆは、正極電極１２の正極タブ１２ｃにおける対向し合う１対の辺１２ｇ，１２ｈにそれぞれ近接する位置となっている。したがって、負極電極１３及びセパレータ３３において、第１孔１３２ｅ，３３３ｅ、第２孔１３２ｆ，３３３ｆ、及び第３孔１３２ｇ，３３３ｇの位置は、正極電極１２の対向し合う２対の辺１２ｇ，１２ｈ，１２２ａ，１２２ｃに近接する位置となっている。そして、負極電極１３及びセパレータ３３は、それらが積層されたときに重なる位置に第１孔１３２ｅ，３３３ｅ、第２孔１３２ｆ，３３３ｆ、及び第３孔１３２ｇ，３３３ｇを有している。
【００８５】
そして、第１孔１３２ｅ，３３３ｅの貫通列、第２孔１３２ｆ，３３３ｆの貫通列、及び第３孔１３２ｇ，３３３ｇの貫通列に対して、第１の実施形態や第２の実施形態と同様に光の投射が行われることにより、積層ずれの検査を行うことができる。
【００８６】
また、本実施形態の正極電極１２は、第１の実施形態のように袋状の電極収納セパレータの内部に収納されるものではなく、また、第２の実施形態のように孔を有するものではない。このため、正極電極１２に生じた積層ずれが大きいときには、正極電極１２によりセパレータ３３の第１孔３３３ｅ、第２孔３３３ｆ、及び第３孔３３３ｇの少なくとも１つが塞がれることとなる。したがって、第１孔１３２ｅ，３３３ｅの貫通列、第２孔１３２ｆ，３３３ｆの貫通列、及び第３孔１３２ｇ，３３３ｇの貫通列に対して、光の投射が行われることにより、負極電極１３及びセパレータ３３の積層ずれと併せて、正極電極１２の積層ずれも検査されることとなる。
【００８７】
尚、負極電極１３において、第３孔１３２ｇは、負極電極１３が正極電極１２と積層したときに、正極電極１２の辺１２２ｃに近接する位置であって、正極タブ１２ｃと対向する位置にある。そして、負極電極１３において、第１孔１３２ｅと第３孔１３２ｇとの間の距離と、第２孔１３２ｆと第３孔１３２ｇとの間の距離は、等距離に設定されている。また、負極電極１３と同じく、セパレータ３３においても、第１孔３３３ｅと第３孔３３３ｇとの間の距離と、第２孔３３３ｆと第３孔３３３ｇとの間の距離は、等距離に設定されている。
【００８８】
次に、本実施形態の作用について説明する。
負極電極１３及びセパレータ３３が有する第１孔１３２ｅ，３３３ｅ、第２孔１３２ｆ，３３３ｆ、及び第３孔１３２ｇ，３３３ｇといった３つの孔の貫通列に対して光の投射を行うことにより、第１孔１３２ｅ，３３３ｅ、第２孔１３２ｆ，３３３ｆ、及び第３孔１３２ｇ，３３３ｇがその貫通列に光が透過する程度に貫通した状態にあるか否かに応じて、支障のない程度に積層ずれが小さい状態で積層が行えているか否かを容易に判断することができる。
【００８９】
また、積層されたときに負極電極１３及びセパレータ３３の重なる位置に第１孔１３２ｅ，３３３ｅ、第２孔１３２ｆ，３３３ｆ、及び第３孔１３２ｇ，３３３ｇといった３つずつの孔が位置することにより、積層ずれが積層された各層が幅方向にずれることによる直線的なずれであっても、各層が回転方向にずれることによる回転ずれであっても、積層ずれが生じているか否かの判断を好適に行うことができる。
【００９０】
以上説明したように、本実施形態によれば、第１の実施形態の効果（１）、（３）、（５）、（６）と同様の効果に加えて、以下の効果が得られるようになる。
（８）第１孔１３２ｅ，３３３ｅと第２孔１３２ｆ，３３３ｆとは、正極タブ１２ｃを挟む２箇所にそれぞれあるとともに、第３孔１３２ｇ，３３３ｇは、正極電極１２における正極タブ１２ｃが設けられた辺１２２ａと対向する辺１２２ｃに近接する位置にある。こうした第１孔１３２ｅ，３３３ｅ、第２孔１３２ｆ，３３３ｆ、及び第３孔１３２ｇ，３３３ｇによれば、支障のない程度に積層ずれが小さい状態で積層が行えていることをより容易に判断することができる。
【００９１】
尚、上記実施形態は、これを適宜変更した以下の形態にて実施することもできる。
○  第１セパレータ３１の第１はみ出し部３３１及び第２セパレータ３２の第２はみ出し部３３２は、第１の実施形態のはみ出し程度に限定しない。ただし、第１はみ出し部３３１及び第２はみ出し部３３２のはみ出し程度に収まるように、負極電極１３の孔１３２ａ，１３２ｂ、第１セパレータ３１の孔３３１ａ，３３１ｂ、及び第２セパレータ３２の孔３３２ａ，３３２ｂの大きさをそれぞれ設定する必要がある。
【００９２】
○  第１の実施形態において、第１セパレータ３１及び第２セパレータ３２の一部が正極電極１２の一部の辺からはみ出す形状をなすものとしてもよい。
○  第１の実施形態において、負極電極１３、第１セパレータ３１、及び第２セパレータ３２は大きさが異なるものであってもよい。ただし、負極電極１３、第１セパレータ３１、及び第２セパレータ３２は、正極電極１２と積層された状態で、はみ出し部１３２、第１はみ出し部３３１、及び第２はみ出し部３３２の少なくとも一部が、正極電極１２の辺１２２ａ，１２２ｂ，１２２ｃ，１２２ｄからはみ出す方向が互いに同じ方向となっている必要がある。
【００９３】
○  負極電極１３のはみ出し部１３２は、第１実施形態のはみ出し程度に限定しない。ただし、はみ出し部１３２のはみ出し程度に収まるように、負極電極１３の孔１３２ａ，１３２ｂ、第１セパレータ３１の孔３３１ａ，３３１ｂ、及び第２セパレータ３２の孔３３２ａ，３３２ｂの大きさをそれぞれ設定する必要がある。
【００９４】
○  第１の実施形態において、負極電極１３の一部が第１セパレータ３１の第１はみ出し部３３１及び第２セパレータ３２の第２はみ出し部３３２と同じ方向にはみ出した形状をなすものとしてもよい。
【００９５】
○  第１の実施形態において、接合部４０は第１セパレータ３１及び第２セパレータ３２の各外縁２３１ａ，２３２ａの全体に設けるものでなくてもよい。すなわち、正極電極１２を第１セパレータ３１及び第２セパレータ３２の内部に収納できれば、例えば第１セパレータ３１及び第２セパレータ３２の対向する辺に部分的に接合部４０を設けるようにしてもよい。
【００９６】
○  第１の実施形態において、第１セパレータ３１及び第２セパレータ３２の接合部４０の設けられていない領域に孔３３１ａ，３３１ｂ，３３２ａ，３３２ｂを設けるようにしてもよい。また、接合部４０を第１セパレータ３１及び第２セパレータ３２の各外縁２３１ａ，２３２ａの全体に設けない形態においては、第１セパレータ３１及び第２セパレータ３２の各外縁２３１ａ，２３２ａのうち、接合部４０が設けられていない領域に孔３３１ａ，３３１ｂ，３３２ａ，３３２ｂを設けるようにしてもよい。
【００９７】
○  第１セパレータ３１と第２セパレータ３２とは、接合部４０における溶着により接合されるものとしていた。第１セパレータ３１と第２セパレータ３２との接合は、粘着テープや接着剤、縫合、ステープラ等、溶着以外の接合をもって行ってもよい。
【００９８】
○  第１の実施形態において、負極電極１３、第１セパレータ３１、及び第２セパレータ３２の全ての孔３３１ａ，３３１ｂ，３３２ａ，３３２ｂを、正極電極１２の辺１２２ａに近接する位置にあるものとする等、正極電極１２の４つの辺１２２ａ，１２２ｂ，１２２ｃ，１２２ｄのいずれかに近接する位置にあるものとしてもよい。要するに、全ての孔３３１ａ，３３１ｂ，３３２ａ，３３２ｂが、負極電極１３のはみ出し部１３２、第１セパレータ３１の第１はみ出し部３３１、及び第２セパレータ３２の第２はみ出し部３３２に設けられてさえあれば、その位置は自由に設定可能である。
【００９９】
○  第１の実施形態において、第１セパレータ３１及び第２セパレータ３２が負極電極１３よりも大きいものとしてもよい。但し、負極電極１３の大きさは、はみ出し部１３２を有する程度の大きさである必要がある。
【０１００】
○  第１の実施形態において、正極電極１２も孔を有するものとしてもよい。但し、正極電極１２の孔は、正極未塗工部１２ｂに位置することが望ましい。
○  第２の実施形態において、正極電極１２、負極電極１３、及びセパレータ３３の全ての孔１２３ｃ，１２３ｄ，１３２ｃ，１３２ｄ，３３３ｃ，３３３ｄが、正極電極１２の辺１２２ａに近接する位置にあるものとしていたが、これ以外の位置にあるものとしてもよい。但し、正極電極１２、負極電極１３、及びセパレータ３３を積層したときに、孔１２３ｃ，１２３ｄ，１３２ｃ，１３２ｄ，３３３ｃ，３３３ｄの位置が正極電極１２における正極未塗工部１２ｂに対応する位置となっている必要がある。
【０１０１】
○  第２の実施形態において、負極電極１３及びセパレータ３３は、正極電極１２の表面１２ｅ及び裏面１２ｆのいずれか一方の面を覆うように大きいもの限らず、例えば正極電極１２の大きさと同程度の大きさであってもよい。
【０１０２】
○  第１の実施形態及び第２の実施形態において、積層体の各層が孔を３つ以上ずつ有するものとしてもよい。ただし、孔の数が多いほど孔の形成工数が増加するため、工数増加を抑える点では各層に形成される孔の数を２つとするのが望ましい。
【０１０３】
○  第２の実施形態において、セパレータ３３が負極電極１３よりも大きいものとしてもよい。
○  第３の実施形態において、負極電極１３の孔１３２ｅ，１３２ｆ，１３２ｇや、セパレータ３３の孔３３３ｅ，３３３ｆ，３３３ｇは、図１１に例示した形態に限定しない。例えば、負極電極１３及びセパレータ３３は４つずつ孔を有し、正極電極１２の４つの辺１２２ａ，１２２ｂ，１２２ｃ，１２２ｄに各孔が近接して位置するものとしてもよい。こうした形態でも、正極電極１２の対向し合う２対の辺１２２ａ，１２２ｂ，１２２ｃ，１２２ｄに近接する位置にあるものとすることができる。また、負極電極１３及びセパレータ３３の孔をこれ以外の位置関係にあるものとしてもよい。但し、負極電極１３及びセパレータ３３の全ての孔が、負極電極１３の外縁１３１ａ及びセパレータ３３の外縁２３３ａのうち、図３に示した負極電極１３のはみ出し部１３２や、図４に示した第１セパレータ３１の第１はみ出し部３３１及び第２セパレータ３２の第２はみ出し部３３２に相当する領域に、負極電極１３及びセパレータ３３の孔が設けられてさえあれば、その位置は自由に設定可能である。
【０１０４】
○  第３の実施形態において、積層体の各層が孔を４つ以上ずつ有するものとしてもよい。ただし、孔の数が多いほど孔の形成工数が増加するため、工数増加を抑える点では各層に形成される孔の数を３つとするのが望ましい。
【０１０５】
○  第３の実施形態において、セパレータ３３と負極電極１３が同程度の大きさをなしているものとしてもよい。
○  上記実施形態において、積層体の各層に形成された孔の直径（Ｘ＋α）は、１ｍｍ等の大きさに限定されるものではなく、許容される積層ずれの程度に応じて自由に設定可能である。
【０１０６】
○  上記実施形態において、積層体の各層に形成された孔の形は円形に限定されず、矩形等、その他の形をなすものでもよい。ただし、孔の加工性の面では、円形を採用するのが望ましい。
【０１０７】
○  上記実施形態では、図５及び図６に示したように、複数枚が積層されたときに、積層ずれの検査を行う場合を例示した。積層ずれの検査は、負極電極１３等、１枚の積層がなされた状態でも次のように行うことができる。すなわち、例えば負極電極１３の孔と電極組立体１１の積層方向における同位置に孔等の目印を備えた検査板を設け、この検査板に負極電極１３を１枚積層したときに、負極電極１３の孔と検査板の目印との位置関係を確認することにより積層ずれの検査を行うことができる。
【０１０８】
○  上記実施形態において、積層ずれの検査は、積層作業と別途行うようにしてもよい。例えば、所定枚数（もしくは所定枚数以上）が積層される毎に、積層作業を中断して積層ずれの検査を行うようにしてもよい。また、電極組立体１１の積層が完了した状態で、積層ずれの検査を行うようにしてもよい。
【０１０９】
○  上記実施形態において、針等の部材を積層体の各層の孔に直接通すことにより積層ずれの検査を行う方法等、光の投射以外の検査方法を採用することも可能である。尚、採用する検査方法に応じて、各層の孔の直径の値（Ｘ＋α）等、孔の大きさを最適な大きさに設定する必要がある。
【０１１０】
○  上記実施形態において、孔にかえて切り欠きを各層に形成するようにして、切り欠きに対して上記形態の積層ずれ検査方法を採用することも可能である。
○  上記実施形態では、正極電極１２は表裏両面に活物質が塗工される正極塗工部１２ａを有するとしたが、正極電極１２の片面のみに正極塗工部１２ａを有していてもよい。このとき、正極塗工部１２ａが負極塗工部１３ａと対向するように、正極電極１２を積層する必要がある。
【０１１１】
○  上記実施形態では、負極電極１３は表裏両面に活物質が塗工される負極塗工部１３ａを有するとしたが、負極電極１３の片面のみに負極塗工部１３ａを有していてもよい。このとき、負極塗工部１３ａが正極塗工部１２ａと対向するように、負極電極１３を積層する必要がある。
【０１１２】
○  二次電池１０は、リチウムイオン二次電池であったが、これに限らず、他の二次電池であってもよい。要するに、正極活物質層と負極活物質層との間をイオンが移動するとともに電荷の授受を行うものであればよい。
【０１１３】
○  本発明を、電気二重層コンデンサ等の蓄電装置に具体化してもよい。
【符号の説明】
【０１１４】
１０…二次電池、１１…電極組立体、１２…正極電極、１３…負極電極、３０…電極収納セパレータ、３１…第１セパレータ、３２…第２セパレータ、４０…接合部、１２２ａ，１２２ｂ，１２２ｃ，１２２ｄ…辺、１３２…はみ出し部、１３２ａ，３３１ａ，３３２ａ…第１孔、１３２ｂ，３３１ｂ，３３２ｂ…第２孔、３３１…第１はみ出し部、３３２…第２はみ出し部。
【図１】
2014049193.tif 000003
【図２】
2014049193.tif 000004
【図３】
2014049193.tif 000005
【図４】
2014049193.tif 000006
【図５】
2014049193.tif 000007
【図６】
2014049193.tif 000008
【図７】
2014049193.tif 000009
【図８】
2014049193.tif 000010
【図９】
2014049193.tif 000011
【図１０】
2014049193.tif 000012
【図１１】
2014049193.tif 000013